(57)【要約】【課題】  交換の際に液漏れを抑制して容易に異なる送液系又は受液系を交換可能な配管の接続構造を提供する。【解決手段】配管の接続構造では、送液系側の配管として構成される配管連結器４がバルブＶと雄型クイックジョイントＣ１を有しており、受液側の配管としての注入ポンプ６の上流側配管ＰＵが、バルブＶと雌型クイックジョイントＣ２を有している。そして、クイックジョイントＣ１，Ｃ２を脱着して、送液系又は受液系を交換可能に接続している。【選択図】      図１
2006342961.tif 000002
【特許請求の範囲】
【請求項１】
浄化剤を地中に注入して土壌を浄化するために、前記浄化剤が送液系から受液系へ搬送される土壌浄化システムにおける前記送液系側の送液側配管と、前記受液系側の受液側配管とを接続するための配管の接続構造であって、
前記送液側配管は、バルブと送液側クイックジョイントを有しており、
前記受液側配管は、前記送液側クイックジョイントと着脱自在に係合可能な受液側クイックジョイントとバルブを有しており、
前記クイックジョイントを脱着して、前記送液系又は前記受液系を交換可能に接続していることを特徴とする配管の接続構造。
【請求項２】
浄化剤を地中に注入して土壌を浄化するために、前記浄化剤が送液系から受液系へ搬送される土壌浄化システムにおける前記送液系側の送液側配管と、前記受液系側の受液側配管とを接続するための配管の接続構造であって、
前記送液側配管がバルブと送液側クイックジョイントを有するとともに、前記受液側配管がバルブと受液側クイックジョイントを有し、
前記送液側配管と前記受液側配管との間に、受液側クイックジョイントと送液側クイックジョイントを備えた中間配管を少なくとも一つ設けるとともに、
前記送液側配管と前記中間配管との間又は前記中間配管と前記受液側配管との間に、受液側クイックジョイント、バルブ及び送液側クイックジョイントを直接結合させてなる配管連結器を設けたことを特徴とする配管の接続構造。
【発明の詳細な説明】
【技術分野】
【０００１】
本発明は、送液系側の送液側配管と、受液系側の受液側配管とを接続するための配管の接続構造に関する。
【背景技術】
【０００２】
一つの配管で異なる液体系（送液系又は受液系）を切り替えて液体を通流する手法は種々の技術分野で行われている。
例えば、特許文献１には、排水口等の接続口に排水管等の管を接続するための構造であって、前記接続口の外周にフランジを設ける一方、前記接続口に水密に挿入可能な筒状の接続部と、この接続部と同軸状に一体成形される筒状の管固定部とからなる本体から迫り出して、該接続部の前記接続口に対する挿入時に前記フランジに弾性的に係合する爪部を設けた構造が記載されている。また、爪部は少なくとも本体の直径方向に一対に設けられる。さらに爪部は本体の管固定部側にその弾性力に抗してフランジとの係合を解除可能な爪拡開用ツマミを有する。さらにまた、フランジまたは／および爪部は、前記爪がフランジに進入する側の角が面取りされている。
【０００３】
特許文献１によれば、弾性変形する爪部によって排水管をワンタッチで接続口に接続できるので、配管の先端に独立して回転可能に設けられる孔開きの袋ナットを相手側の配管の雄ねじ部に螺合させることによる配管接続方法において生じていた狭小なスペースでの作業性の悪さや管の捩れなどの課題を解決できるが、例えば送液側と受液側の一方又は両方を着脱交換する際に、液漏れが生じてしまう。このような液漏れは、特に、地上に設けた送液系から、その一部が土壌中に差し込まれた受液系を介して土壌中に浄化剤を注入して土壌を浄化する土壌浄化システムにおいては、浄化剤として過酸化水素溶液などを用いるため、できる限り抑えることが望まれている。
【特許文献１】特開２００５-０８３０９２号公報（要約書、図１）
【発明の開示】
【発明が解決しようとする課題】
【０００４】
したがって、本発明の課題は、交換の際に液漏れを抑制しつつ容易に異なる送液系又は受液系を交換可能な配管の接続構造を提供することである。
【課題を解決するための手段】
【０００５】
前記課題は、下記の構成要件を有する本発明によって解決される。
（１）  浄化剤を地中に注入して土壌を浄化するために、前記浄化剤が送液系から受液系へ搬送される土壌浄化システムにおける前記送液系側の送液側配管と、前記受液系側の受液側配管とを接続するための配管の接続構造であって、
前記送液側配管は、バルブと送液側クイックジョイントを有しており、
前記受液側配管は、前記送液側クイックジョイントと着脱自在に係合可能な受液側クイックジョイントとバルブを有しており、
前記クイックジョイントを脱着して、前記送液系又は前記受液系を交換可能に接続していることを特徴とする配管の接続構造。
【０００６】
ここで、「配管」とは、流路を有する管状のものをいい、例えば、金属製の管や、可撓性を有するホースやフレキシブル管などが含まれる。また、「クイックジョイント」とは、簡単な操作で着脱できるジョイントをいい、例えば、レバー操作により適宜抜け止め部分が進退することで二つのジョイントを着脱自在に係合させるものや、弾性変形する爪とこの爪を開くための爪拡開用ツマミを利用して二つのジョイントを着脱自在に係合させるものや、孔開きの袋ナットを利用して二つのジョイントを着脱自在に係合させるものなどが含まれる。
【０００７】
この構造によれば、例えば送液系を別の送液系に交換する際に、送液側配管のバルブと受液側配管のバルブを両方とも閉じた後、クイックジョイントを外すと、分離した各配管からは、二つのバルブ間に閉じ込められた液体のみが漏れ出ることとなる。すなわち、液体の漏れを、二つのバルブ間に存在するだけのわずかな量に抑えることが可能となる。
【０００８】
（２）  浄化剤を地中に注入して土壌を浄化するために、前記浄化剤が送液系から受液系へ搬送される土壌浄化システムにおける前記送液系側の送液側配管と、前記受液系側の受液側配管とを接続するための配管の接続構造であって、
前記送液側配管がバルブと送液側クイックジョイントを有するとともに、前記受液側配管がバルブと受液側クイックジョイントを有し、
前記送液側配管と前記受液側配管との間に、受液側クイックジョイントと送液側クイックジョイントを備えた中間配管を少なくとも一つ設けるとともに、
前記送液側配管と前記中間配管との間又は前記中間配管と前記受液側配管との間に、受液側クイックジョイント、バルブ及び送液側クイックジョイントを直接結合させてなる配管連結器を設けたことを特徴とする配管の接続構造。
【０００９】
この構造によれば、例えば送液系を別の送液系に交換する際に、送液側配管のバルブと配管連結器のバルブを両方とも閉じた後、クイックジョイントを外すと、分離した配管及び配管連結器からは、二つのバルブ間に閉じ込められた液体のみが漏れ出ることとなる。すなわち、液体の漏れを、二つのバルブ間に存在するだけのわずかな量に抑えることが可能となる。なお、この構造において中間配管にバルブを設けることでも同様の効果（液漏れを抑制する効果）を得られるが、本発明のように中間配管とは別の配管連結器にバルブを設ける構造であれば、中間配管が例えば長尺状のホースである場合、バルブのような余計な部品がないため、ホースをコンパクトに折り畳んで収容できるといった効果を得ることができる。
【発明の効果】
【００１０】
本発明によると、送液系と受液系のいずれかの交換時における液漏れを抑制することが可能である。
【発明を実施するための最良の形態】
【００１１】
以下、本発明の実施の形態を説明する。
図１は、本発明の一実施形態を示す概略図である。
【００１２】
図１に示す通り、本実施形態に係る配管の接続構造は、浄化剤を地中に注入して土壌を浄化するための土壌浄化システムＳに適用されており、主に、第１薬剤サービスタンク１、ライン洗浄水タンク２、第２薬剤サービスタンク３、配管連結器４、ホース（中間配管）５、注入ポンプ６及び注入用配管７で構成されている。
【００１３】
第１薬剤サービスタンク１は、第１薬剤（浄化剤）を貯留するタンクであり、その内部に吸引ノズルＮが差し込まれるようにして固定された構造となっている。そして、この吸引ノズルＮのタンク外へ突出する端部には雄型クイックジョイントＣ１が取り付けられている。なお、この雄型クイックジョイントＣ１には、後で詳述する配管連結器４の雌型クイックジョイントＣ２が連結されるようになっており、このように連結される配管連結器４、吸引ノズルＮ及び第１薬剤サービスタンク１によって、特許請求の範囲にいう「送液系」が構成されている。また、本実施形態においては、吸引ノズルＮの雄型クイックジョイントＣ１に連結される配管連結器４が、特許請求の範囲にいう「送液側配管」に相当する。
【００１４】
ライン洗浄水タンク２及び第２薬剤サービスタンク３は、前記した第１薬剤サービスタンク１と同様の構造となっており、それぞれ吸引ノズルＮ及び雄型クイックジョイントＣ１が設けられた構造となっている。ここで、ライン洗浄水タンク２に貯留される内容物は水などの洗浄水であり、第２薬剤サービスタンク３に貯留される内容物は第２薬剤である。そして、これらのタンク２，３も、各吸引ノズルＮの雄型クイックジョイントＣ１に連結される配管連結器４とともに、特許請求の範囲にいう「送液系」を構成している。なお、各タンク１〜３よりも上流側に、第１薬剤を調合するための調合設備や洗浄水を貯蔵する既存設備や第２薬剤を調合するための調合設備がある場合には、それぞれ上流側の各設備が送液系となり、各タンク１〜３が受液系となる。また、各タンク１〜３の上流側には、前記した調合設備の他、例えば温度調整手段等を適宜設けることが可能である。
【００１５】
配管連結器４は、ホース５を各タンク１〜３、注入ポンプ６又は注入用配管７に交換可能に連結させるためのものであり、雄型クイックジョイントＣ１、バルブＶ、雌型クイックジョイントＣ２を直接結合させてなる構造となっている。具体的に、この配管連結器４は、図２に示すように、バルブＶの両端に、雄型クイックジョイントＣ１と雌型クイックジョイントＣ２とが螺合により一体に取り付けられた構造となっている。ここで、図２では配管連結器４における雄型クイックジョイントＣ１、バルブＶ及び雌型クイックジョイントＣ２について詳細に図示しているが、配管連結器４以外の構造物（例えば、前記した吸引ノズルＮ）に設けられるその他の雄型クイックジョイントＣ１、バルブＶ及び雌型クイックジョイントＣ２も同様の構造となっている。また、雄型クイックジョイントＣ１及び雌型クイックジョイントＣ２は、管状の構造物の両端に設けられるため、この管状の構造物の向きによって特許請求の範囲にいう「送液側クイックジョイント」及び「受液側クイックジョイント」のいずれにも相当する。つまり、管状の構造物の上流側の端部に設けられるクイックジョイントが「受液側クイックジョイント」に相当し、下流側の端部に設けられるクイックジョイントが「送液側クイックジョイント」に相当する。
【００１６】
バルブＶは、いわゆるボールバルブであり、筒状に形成される本体部４１と、本体部４１の中央部に設けられて流路の切り替えに寄与する可動流路４２と、可動流路４２を回動させるためのハンドル４３とで主に構成されている。そして、本体部４１の両端部の内周面には、それぞれ雌ねじ部４１ａが形成されている。なお、本実施形態においては、バルブＶとしてボールバルブを採用したが、本発明はこれに限定されず、例えば、ゲートバルブ、蝶バルブ、グローブバルブなどの手動式のバルブを採用してもよい。
【００１７】
雄型クイックジョイントＣ１は、筒状の本体部１１を有しており、この本体部１１の一端の外周面に、バルブＶの雌ねじ部４１ａに螺合する雄ねじ部１１ａが形成されるとともに、その他端の外周面に断面視円弧状の凹部１１ｂが周方向に沿って形成されている。
【００１８】
雌型クイックジョイントＣ２は、筒状の本体部２１を有しており、この本体部２１の一端側に、前記した雄型クイックジョイントＣ１の凹部１１ｂに係合するレバー２２が設けられるとともに、その他端の外周面にバルブＶの雌ねじ部４１ａに螺合する雄ねじ部２１ａが形成されている。
本体部２１は、外側（バルブＶの反対側）が大径となるような段差状に形成される内周面２１ｂを有しており、その段差の隅に、弾性変形可能なシール部材２３を備えている。
【００１９】
レバー２２は、略Ｌ字状に形成された部材であり、長尺状の操作部２２ａと、この操作部２２ａの一端から横方向（操作部２２ａの長手方向に対する略直交方向）へ延びる係合部２２ｂとを備えて構成されている。そして、このレバー２２は、その係合部２２ｂが本体部２１に回動自在に取り付けられており、本体部２１に対して起立状態（二点鎖線で図示）であるときにその係合部２２ｂが本体部２１の内周面２１ｂよりも外側に位置し、横臥状態であるときにその係合部２２ｂが本体部２１の内周面２１ｂから突出するように構成されている。すなわち、操作部２２ａが起立状態であるときには、係合部２２ｂが本体部２１の内周面２１ｂよりも外側に引っ込んだ状態となることで、雄型クイックジョイントＣ１の本体部２１内への差し込みが可能な状態となっている。また、操作部２２ａが本体部２１側に倒されたときには、係合部２２ｂが本体部２１の内周面２１ｂから突出して雄型クイックジョイントＣ１の凹部１１ｂに係合することで、雄型クイックジョイントＣ１が雌型クイックジョイントＣ２に固定されるようになっている。なお、このようにして固定された雄型クイックジョイントＣ１の先端がシール部材２３に密着することで、雄型クイックジョイントＣ１及び雌型クイックジョイントＣ２間のシール性が保たれるようになっている。
【００２０】
図１に示すように、ホース５は、注入ポンプ６の上流側と下流側にそれぞれ一本ずつ設けられており、その一端に雌型クイックジョイントＣ２が設けられるとともに、その他端に雄型クイックジョイントＣ１が設けられている。ここで、ホース５は、ゴムやビニールなどの可撓性を有する部材で形成されている。そして、二本のホース５のうち上流側のホース５の上流側の端部は、二つの配管連結器４，４を介して第１薬剤サービスタンク１に固定された吸引ノズルＮに接続され、下流側の端部は、一つの配管連結器４を介して注入ポンプ６の上流側配管ＰＵに接続されるようになっている。また、下流側のホース５の上流側の端部は、一つの配管連結器４を介して注入ポンプ６の下流側配管ＰＬに接続され、下流側の端部は、二つの配管連結器４を介して注入用配管７に接続されるようになっている。
【００２１】
注入ポンプ６は、各タンク１〜３から液体を吸引して注入用配管７へ送り込むためのものであり、各タンク１〜３側に上流側配管（受液側配管）ＰＵを備えるとともに、注入用配管７側に下流側配管（送液側配管）ＰＬを備えた構成となっている。そして、上流側配管ＰＵには、上流側から順に、雌型クイックジョイントＣ２、バルブＶ、固形異物を捕捉するストレーナＳｔが主に設けられ、下流側配管ＰＬには、上流側から順に、瞬時／積算流量計Ｆ、バルブＶ、雌型クイックジョイントＣ２が主に設けられている。ここで、上流側配管ＰＵと下流側配管ＰＬにそれぞれ設けられる一対の雌型クイックジョイントＣ２及びバルブＶは、直接結合されることで一体に構成されている。また、この注入ポンプ６は、前記した瞬時／積算流量計Ｆや後記する圧力センサＰからの検出値などに基づいて適宜制御されるようになっている。なお、この注入ポンプ６は、上流側の各タンク１〜３との関係では、受液系に相当し、下流側の注入用配管７との関係では、送液系に相当する。
【００２２】
注入用配管７は、地盤６０中の飽和帯６１に達するように掘削された注入井６２に挿入されて、その飽和帯６１に第１薬剤などを注入するためのものであり、その先端部（下端部）に、飽和帯６１に第１薬剤などを噴出させるためのスリットなどからなる開口７ａを有している。また、この注入用配管７の上端には、十字状の接合流路７１が設けられている。そして、この接合流路７１の注入用配管７との接続部分以外の三つの開口のうち、一つ目の開口には、雄型クイックジョイントＣ１及び二つの配管連結器４，４を介してホース５が接続され、二つ目の開口には、圧力センサＰが設けられ、三つ目の開口には、雄型クイックジョイントＣ１、配管連結器４及びホース５’を介して廃液受タンクＷＴが接続されている。ここで、一つ目の開口側（上流側）にある雄型クイックジョイントＣ１に連結される一つ目の配管連結器４と注入用配管７によって、特許請求の範囲にいう「受液系」が構成され、その一つ目の配管連結器４が、特許請求の範囲にいう「受液側配管」に相当する。
【００２３】
次に、本実施形態における土壌浄化システムＳによる土壌の浄化方法について簡単に説明する。
まず、浄化工事を行う地盤６０に一ないし複数の注入井６２を掘削して形成する。
そして、注入井６２に注入用配管７を挿入し、この注入用配管７に、複数の配管連結器４及びホース５を介して注入ポンプ６及び第１薬剤サービスタンク１を接続させる。その後、注入ポンプ６を稼動させて第１薬剤サービスタンク１から第１薬剤を注入用配管７へ圧送する。このとき、第１薬剤サービスタンク１から注入用配管７までに配設される各バルブＶを開放し、廃液受タンクＷＴ側にあるバルブＶのみを閉塞させておく。これにより、第１薬剤は、吸引ノズルＮ、配管連結器４、ホース５などで構成される一本の配管内を通って注入用配管７へ達し、注入用配管７の先端付近の開口７ａから地中（ここでは飽和帯６１）に噴出される。そして、第１薬剤を所定量噴出させた後は、上流側のホース５を第２薬剤サービスタンク３に連結し直して、第２薬剤を飽和帯６１へ所定量注入させる。以上により、土壌が良好に浄化されることとなる。なお、この浄化作業中においては、第１薬剤や第２薬剤を飽和帯６１に圧送することや、飽和帯６１での浄化作用に伴って地中で反応ガスが発生することによって、注入用配管７周りの飽和帯６１の圧力が上昇する。そのため、飽和帯６１の圧力が所定値以上に高くなった場合には、注入用配管７の上流側のバルブＶを閉め、下流側のバルブＶを開けることで、飽和帯６１から注入用配管７を通って反応ガスとともに上がってくる液体を、廃液受タンクＷＴへ捨てて飽和帯６１の圧力を適宜下げればよい。また、一連の浄化作業が終わった後は、上流側のホース５をライン洗浄水タンク２へ連結し直し、配管内が洗浄水で洗浄されることとなる。
【００２４】
次に、第１薬剤サービスタンク１を第２薬剤サービスタンク３に交換する方法を説明する。なお、この説明の最初の段階においては、第１薬剤サービスタンク１から注入用配管７までの構成部品はそれぞれ連結された状態となっていることとする。
まず、注入ポンプ６の稼動を停止させることで、第１薬剤サービスタンク１から注入用配管７への液体の供給を停止させる。ここで、注入ポンプ６の稼動停止後の状態においては、配管内（配管連結器４内やホース５内など）が液体で満たされた状態となっている。
【００２５】
注入ポンプ６の稼動を停止させた後は、第１薬剤サービスタンク１に最も近い配管連結器４のバルブＶ（図１のバルブＶ１）を閉じるとともに、この配管連結器４に連結されている下流側の配管連結器４のバルブＶ（図１のバルブＶ２）を閉じる。そして、これらの配管連結器４の接続部分の下方にバケツ等を用意した状態で、クイックジョイントＣ１，Ｃ２を外すと、バルブＶ１，Ｖ２間のわずかな第１薬剤がバケツ等で回収されるので、地面への液漏れをほとんど無くすことができる。
その後は、取り外したホース５側の配管連結器４を、第２薬剤サービスタンク３の雄型クイックジョイントＣ１に、新たな配管連結器４（図示せず）を介して連結させることで、タンク１，３の交換作業が完了する。なお、タンク２への交換作業も同様に行うことができる。
【００２６】
続いて、第１薬剤サービスタンク１から注入ポンプ６までの配管構造を分解して倉庫等に収容させる方法を説明する。なお、注入ポンプ６から注入用配管７までの配管構造を分解して倉庫等に収容させる方法も同様に行えるため、その説明は省略することとする。
まず、前記したように洗浄水で配管内を洗い流した後、洗浄水タンク２に最も近い配管連結器４からその下流側の配管連結器４を外す。続いて、ホース５側の配管連結器４のバルブＶを開放させて別途用意した容器内にホース５内の洗浄水を流すか、あるいはホース５側の配管連結器４のバルブＶを開放させた状態で注入ポンプ６を稼動させることで、ホース５内やこれに接続される配管連結器４内を空にする。なお、洗浄水に水を用いている場合は、洗浄水はそのまま地面に流してもよい。その後は、各バルブＶを閉じて、各配管連結器４やホース５を適宜外して、それぞれを倉庫に収容させる。このとき、ホース５は、バルブを有さない構造となっていることから、コンパクト（例えばとぐろ状）に折り畳まれて収容されることとなる。
【００２７】
以上、本実施形態の構造によれば、液漏れを少量に抑えつつ第１薬剤サービスタンク１などの交換を行うことができる。
なお、ホース５にバルブを設けることで、本実施形態と同様の効果（液漏れを少量にする効果）を得られるが、本実施形態のようにホース５とは別の配管連結器４にバルブＶを設ける構造であれば、ホース５の収容時にバルブが邪魔になることがなく、長尺状のホース５をコンパクトに収容できるといった効果を得ることができる。
【００２８】
以上、本発明の一実施形態を説明したが、本発明はこれに限定されるものではない。
前記実施形態では、第１薬剤サービスタンク１、吸引ノズルＮ及び配管連結器４で送液系を構成したが、本発明はこれに限定されず、例えば図３に示すように、前記実施形態における配管連結器４の代わりに、吸引ノズルＮのタンク外側の管状部分（送液側配管）に、上流側から順にバルブＶと雄型クイックジョイントＣ１を直接設けることでも、本発明の効果（液漏れを少量にする効果）を得ることができる。なお、この場合や前記実施形態をも含め、送液系（第１薬剤サービスタンク１）側の雄型クイックジョイントＣ１と、受液系（注入ポンプ６の上流側配管ＰＵ）側の雌型クイックジョイントＣ２とを、配管連結器４やホース５を介さずに、直接接続することも可能である。
【００２９】
また、配管連結器４やホース５の数は、前記実施形態に限定されず、いくつであってもよい。例えば、施工現場におけるタンクと注入井の距離に合わせて複数のホース５を連結することで、現場に合わせた長さの配管を容易に構成できる。このとき、各ホース５の両端には、バルブＶがないので、不要にバルブＶの数が増えることがなく、バルブＶの開閉などの作業を効率的に行うことができる。
前記実施形態では、クイックジョイントを全て同じ種類のものを適用したが、本発明はこれに限定されず、複数種類のクイックジョイントを一本のラインで同時に適用してもよい。すなわち、図１に示す構造において、最上流側のクイックジョイントＣ１，Ｃ２をＡタイプのものとし、その下流側のクイックジョイントＣ１，Ｃ２をＡタイプとは異なる別のＢタイプのものとしてもよい。
また、タンク１〜３の交換の代わりに、あるいはタンク１〜３の交換に加えて、注入ポンプ６又は注入用配管７を交換することも本発明の範囲内である。
【図面の簡単な説明】
【００３０】
【図１】本発明の一実施形態を示す概略図である。
【図２】本実施形態に係る配管連結器を示す断面図である。
【図３】本発明の他の実施形態を示す概略図である。
【符号の説明】
【００３１】
１      第１薬剤サービスタンク
２      ライン洗浄水タンク
３      第２薬剤サービスタンク
４      配管連結器
５      ホース
６      注入ポンプ
７      注入用配管
６０    地盤
６１    飽和帯
６２    注入井
Ｃ１    雄型クイックジョイント
Ｃ２    雌型クイックジョイント
ＰＬ    下流側配管
ＰＵ    上流側配管
Ｓ      土壌浄化システム
Ｖ      バルブ
【図１】
2006342961.tif 000003
【図２】
2006342961.tif 000004
【図３】
2006342961.tif 000005